(57)【要約】【課題】      金属製の外装容器と合成樹脂製の内装容器を組合せた複合容器における内装容器を、容易に空気溜りによる皺が生じないようにすることができる構造を提供する。【解決手段】  外装容器の内側に装入される合成樹脂製の内装容器において、底板３と筒状体４から構成された上面開放で筒状体４の高さが外装容器より高い内装容器本体１と、注入口８が設けられた天板５と筒状体６から構成された下面開放の蓋部材２とからなる内装容器。【選択図】    図１
2005035624.tif 000002
【特許請求の範囲】
【請求項１】
外装容器の内側に装入される合成樹脂製の内装容器において、底板と筒状体から構成された上面開放で筒状体の高さが外装容器より高い内装容器本体と、注入口が設けられた天板と筒状体から構成された下面開放の蓋部材とからなることを特徴とする内装容器。
【請求項２】
内装容器本体の筒状体の一部又は複数筒所を合成樹脂製通気性シートとしたことを特徴とする請求項１に記載の内装容器。
【請求項３】
上記請求項１又は２に記載の内装容器を外装容器に装着する方法であって、外装容器の内側に内装容器本体を密着して装入し、外装容器より上側に突出した筒状体を外装容器の外側に折り返し、次いで蓋部材を外装容器上面から被せ蓋部材の天板を外装容器の上端より若干上方に位置させ、更に蓋部材の天板を外装容器の内側に押し込むことを特徴とする内装容器の装着方法。
【発明の詳細な説明】
【技術分野】
【０００１】
この発明は、ドラム缶等の金属製の外装容器内に合成樹脂製の内装容器を装入し、各種液体の輸送や保管に用いられる複合容器における、内装容器の構造に関するものである。
【背景技術】
【０００２】
化学薬品や塗料等の各種液体の輸送においては、耐蝕ドラム缶等の金属製の外容器（外装容器）の内側に、合成樹脂製の内装袋（内装容器）を装入した複合容器が用いられている（例えば、特許文献１参照）。
【０００３】
この複合容器は、内装袋の天板面に設けられた注入口を通じて塗料等の液体を充填する際、液体の液面は内装袋の天板面を押し上げ、内装袋内部の残留空気は注入口を介して排出され、液体の液面は空気と遮断されるので、液体の空気との接触による硬化（皮張り）が防止される。
【０００４】
また、容器内に液体を完全に充填していない状態での液面の空気との接触を防止するため、容器内に容器の内径に適合する平面形状と大きさを有する遮蔽シートを用い、この遮蔽シートを液面上に浮かべることで液体を空気から遮蔽しているものがある（例えば、特許文献２参照）。
【０００５】
【特許文献１】実開平４−１４３６４号公報
【特許文献２】特開２００１−３０１８３２号公報
【発明の開示】
【発明が解決しようとする課題】
【０００６】
ところで、特許文献１のような複合容器では、その構造上、外装容器と内装容器の隙間に空気が入り込み、合成樹脂製の内装容器に空気溜りによる皺が生じやすい。
【０００７】
この皺は、容器の収容容量を低下させるのはもちろん、特許文献２のような遮蔽部材を適用しようとする場合、皺の存在により容器内壁に端部が接触している遮蔽シートが液面に追随して移動するのを阻げてしまい、液面の空気との遮断が図れなくなってしまう。
【０００８】
これを防ぐためには、外装容器内壁に内装容器を完全に密着させて空気溜りによる皺が生じないようにすれば良いが、注入口以外が密閉された内装容器を外装容器内壁に完全に密着させるのはとても困難な作業となる。
【０００９】
また、複合容器から液体を取り出すのに、前記遮蔽シートを下方に押し込み、その圧力で遮蔽シートから上方に連なって設けられた筒体内に液体を圧送し、筒体上端から液体を取り出す方式のものもあるが、これらの方式のものは圧力を加える際に遮蔽シート端部と容器内壁から液体が漏れないよう、内装容器壁面に皺の無い高い精度の平滑性が要求される。
【００１０】
更に、遮蔽シートは容器の注入口から内部に挿入されるため、合成樹脂やゴム等の可撓性材料を用い、エア封入による膨張によって注入口からの挿入後に容器内径と同一形状に復元させているため、その材質等に制限を受けることになる。
【００１１】
この発明の課題は、金属製の外装容器と合成樹脂製の内装容器を組合せた複合容器における内装容器において、容易に空気溜りによる皺が生じないようにすることができる構造と、その内装容器を用いた外装容器への装着方法を提供しようとするものである。
【課題を解決するための手段】
【００１２】
上記の課題を解決するため、請求項１の発明は、外装容器の内側に装入される合成樹脂製の内装容器において、底板と筒状体から構成された上面開放で筒状体の高さが外装容器より高い内装容器本体と、注入口が設けられた天板と筒状体から構成された下面開放の蓋部材とからなる内装容器である。
【００１３】
この内装容器本体は、外装容器内に密着して装入されるもので、その底板の形状と大きさは外装容器の内径の形状と大きさと同一であり、筒状体の外装容器の高さより高い余剰部分は外装容器の外側に折り返して固定する部分となる。
【００１４】
また蓋部材は、外装容器の上から被せて内装容器本体上面を封鎖するもので、その天板は外装容器の外径の形状や大きさと同一であり、筒状体の高さは、内装容器本体の筒状体より低く、外装容器上端部にのみ重なる程度でよい。
【００１５】
これらの内装容器本体と蓋部材の外装容器への固定は、外装容器内側に装入した内装容器本体の、外装容器上端より上に突出した筒状体の外装容器の外側への折り返した部分の固定と、蓋部材の外装容器上面開放部へ被せること（外嵌挿）と、これら内装部材本体と蓋部材との接着固定による。
【００１６】
次に請求項２の発明は、請求項１に記載の内装容器において、内装容器本体の筒状体の一部又は複数筒所を合成樹脂製通気性シートとした構成を採用したものである。
【００１７】
ここでいう合成樹脂製通気性シートとは、気体分子程度の大きさの孔（貫孔）を有する合成樹脂からなり、収容される液体の種類に応じて空気（気体分子）は通すが水（水分子）は通さない、もしくは空気や水分は通しても粘度のある液体は通さない性質を有しており、筒状体の一部（又は複数箇所）の通気性シートを通じて外装容器と内装容器の隙間の空気が内装容器内側に抜けることになる。
【００１８】
次に請求項３の発明は、上記請求項１又は２に記載の内装容器を外装容器に装着する方法であって、外装容器の内側に内装容器本体を密着して装入し、外装容器より上側に突出した筒状体を外装容器の外側に折り返し、次いで蓋部材を外装容器上面から被せ蓋部材の天板を外装容器の上端より若干上方に位置させ、更に蓋部材の天板を外装容器の内側に押し込む方法である。
【００１９】
この方法によれば、内装容器本体を外装容器に装着して外装容器と内装容器本体との隙間に溜った空気を適宜作業により取り除いてから、蓋部材を被せ（外嵌挿）、開放状態の内装容器上面を封鎖するのである。
【００２０】
また外装容器上端部で折り返しにより固定された内装容器本体に外嵌挿した蓋部材の天板を外装容器内側に落とし込むだけで、内装容器本体と蓋部材が折り返し部分で密着することにより封鎖がなされるのであるが、更に、内装容器本体の折り返した筒状体の上端辺と蓋部材の筒状体の下端辺とを適宜手段で接着することにより、より強固な封鎖を図ることもできる。
【発明の効果】
【００２１】
請求項１の発明に係る内装容器によれば、内装容器本体が上面開放であるので、外装容器と内装容器の隙間に溜まった空気の抜き作業性が良く、外装容器の内壁と内装容器の完全な密着が行なえ、内装容器の内壁の平滑性が高くなり、皺の発生による収容容量の低下を防ぐことができるのはもちろん、液面と空気との接触を防止する遮蔽シートの液面に追随した移動を阻げない。
【００２２】
また、内装容器本体と蓋部材とを分けているので、内装容器本体装着後の蓋部材を外嵌挿する前に、上面の開口部から遮蔽シート等を挿入できるので、遮蔽シートの材質等に制限（注入口から挿入可能なこと）が無い。
【００２３】
また底板と筒状体から構成される内装容器本体や天板と筒状体から構成される蓋部材は、その製造が、例えば合成樹脂製の円板状の底板（又は天板）と筒状体を溶着する等の方法により、簡単に製造することができるので、低コストであり、また、さまざまな特殊フィルムを用いての製造も可能となる。
【００２４】
また、請求項２の内装容器によれば、空気抜き作業の際、外装容器と内装容器の隙間に溜まった空気が、合成樹脂製通気性シートを通じて内装容器内側へ抜けるので空気の抜けが良くなり、更に、液体の充填の際にも、液体の自重により圧力を受けた外装容器と内装容器の隙間の空気が、該通気性シートを通じて自然に抜けるという利点もある。
【００２５】
また、請求項３の装着方法によれば、内装容器本体の装着状態で上面開放であるので、外装容器と内装容器の隙間の空気抜き作業が容易であり、例えば装着状態で内装容器本体の筒状体の折り返し部分にホースを差し込んで吸引することにより簡単に空気抜き作業が行なえる。
【００２６】
また、蓋部材を後で取付けて密閉を行なうので、蓋部材取付前に遮蔽シートやその他内装容器内に収容されるべき部材を簡単に入れることができる。
【００２７】
また、内装容器本体の折り返した筒状体の上端辺と蓋部材の筒状体の下端辺とが下向きになっているので、この内装容器本体と蓋部材の隙間から雨水、ほこり等が混入しにくくなっており、更に、この両辺を適宜手段で粘着することで内装容器の完全な密閉を図ることもできる。特に外面から両辺を覆うように粘着テープ等を巻回すれば、強固な封鎖と共に内装容器の確実な固定もなされる。
【００２８】
更に、内容物を取り出す際は、注入口から小分けに取り出す方法以外に、天板（蓋部材）を除去することで上面を完全に開放し、各種器具により内容物を取り出すことができる。
【発明を実施するための最良の形態】
【００２９】
図１はこの発明の内装容器を示すもので、内装容器本体１と蓋部材２の二点の部材からなり、内装容器本体１は可撓性を有する合成樹脂製のシート材料からなる底板３及び筒状体４を底板３の周囲の部分で溶着等の手段により接着した上面開放の円柱状であり、蓋部材２は、同じく可撓性を有する合成樹脂製のシート材料からなる天板５及び筒状体６を天板５の周囲の部分で溶着等の手段により接着した下面開放の円柱状である。
【００３０】
これらの内装容器本体１と蓋部材２の各寸法は、用いられるドラム缶等の外装容器に合わせて決定されるものであり、底板３は外装容器の内径と同一径、天板５は外装容器の外径と同一径、内装容器本体１側の筒状体４の高さは、外装容器の高さより大きくなっており、一例をあげれば内装容器本体１は直径５６７ｍｍ高さ９４０ｍｍの円柱形状、蓋部材２は直径５７５ｍｍ高さ１５０ｍｍの円柱形状とする。
【００３１】
また、内装容器本体１の筒状本体４の上部、具体的には用いられる外装容器の高さより若干下となる位置には、この筒状体４に穴を開け、その部分に溶着する手段等により合成樹脂製通気性シート７に置換された部分が複数箇所設けられており、蓋部材２の天板５には、用いられる外装容器の天蓋の口栓の位置に合わせて、筒状の注入口８が設けられている。
【００３２】
次に、この内装容器をドラム缶等の外装容器に装着する方法を、図２（Ａ）〜（Ｆ）に示す外装容器の上面付近の斜視図に基いて説明する。
【００３３】
図２（Ａ）のように、外装容器としてのドラム缶９（下部省略）に、内装容器本体１をその底板３（図示せず）がドラム缶９の内底面に達するまで挿入すると、ドラム缶９の高さより高い内装容器本体１の筒状体４の上部は、ドラム缶９の上端部より突出している。
【００３４】
次に、図２（Ｂ）のようにこの筒状体４の上部突出部を、その可撓性を利用してドラム缶９の外側に折り返し、ドラム缶９の外表面に密着させるようにして、内装容器本体１の仮止めを行なう。
【００３５】
この状態で適宜手段によりドラム缶９の内壁と内装容器本体１との隙間の空気抜き作業を行なうが、上面が開放された状態であるので、この開放面から道具や人手を使って容易に空気抜き作業が行なえ、特に、筒状体４に合成樹脂製通気性シート７に置換された部分が設けられたものは、この通気性シート７の部分から空気が内装容器本体１の内側に抜くことができる。
【００３６】
また、別の方法として、ドラム缶９の外表面と筒状体４の折り返し部分の隙間にゴムホース等を挿入し、吸引することで効率良く空気抜きを行なうことができる。
【００３７】
次に、図２（Ｃ）に示すように、蓋部材２を内装容器本体１を仮止めしたドラム缶９の上方から被せ、上面開放部を閉鎖するようにするが、この時、蓋部材２の天板５は、ドラム缶９の上端部より若干上方に位置させるようにし、また、蓋部材２の筒状体６は、内装容器本体１の折り返した筒状体４を完全には覆わないようにしておく。
【００３８】
次に、図２（Ｄ）に示すように粘着テープ１０を内装容器本体１の折り返した筒状体４の上端辺と、蓋部材２の筒状体６の下端辺とを覆うように１〜２周巻回することにより、内装容器本体１と蓋部材２との隙間の閉鎖及び内装容器本体１と蓋部材２のドラム缶９への固定を行なう。
【００３９】
次に、図２（Ｅ）に示すように、蓋部材２の天板５を下方のドラム缶９内部に押し込み、筒状体６が伸びきる位置まで落とし込み、更に図２（Ｆ）に示すようにドラム缶９の上面に金属製の天蓋１１を被せ、内装容器の蓋部材２の注入口８と蓋１１の口栓の位置を合わせて天蓋１１を嵌め込む。
【００４０】
図３は、図２（Ｅ）の状態での正面断面図であり、内装容器本体１と蓋部材２は、ドラム缶９の外表面で粘着テープ１０により固定及び封鎖されており、この内装容器本体１と蓋部材２の隙間の開口は下向きとなっているので、外部から雨水やほこりが浸入しにくくなっている。
【００４１】
また、液体等を収納する際は、液体の自重によりドラム缶９と内装容器本体１の隙間の空気は圧力を受け、上部の合成樹脂製通気性シート７を通じて内装容器内側に排出される。
【００４２】
また、ドラム缶９が傾いたり倒れたりしても、この合成樹脂製通気性シート７は内容物の液体及び粘体を通さないので、内容物が漏れ出すことがない。
【００４３】
更に内装容器本体１と蓋部材２は別部材となっているので、ドラム缶９を斜めに転がす等の行為を行なっても注入口８の位置ずれ等を起こさない。
【００４４】
また、液体等の内容物をとり出す際は、粘着テープ１０を剥がし、蓋部材を取り去ることでドラム缶９の上面を開放状態として取り出すことができる。
【図面の簡単な説明】
【００４５】
【図１】この発明の内装容器の斜視図
【図２】（Ａ）〜（Ｆ）はこの発明の内装容器を外装容器に装着する方法を示す斜視図
【図３】内装容器を外装容器に装着した状態の正面断面図
【符号の説明】
【００４６】
１      内装容器本体
２      蓋部材
３      底板
４      筒状体
５      天板
６      筒状板
７      合成樹脂製通気性シート
８      注入口
９      ドラム缶
１０    天蓋
１１    口栓
【図１】
2005035624.tif 000003
【図２】
2005035624.tif 000004
【図３】
2005035624.tif 000005